(57)【要約】【課題】多人数にて利用するリビングルームにおいて、個人がテレビに求めるものは其々に異なるものである。特にテレビゲームは音も大きく騒がしいものであり、傍迷惑と言わざるを得ない。そこでテレビを個々の要望に出来る限り適応させることを課題とする。【解決手段】テレビを２台設置する形態であるが、設置場所が必要となる。またテレビを観賞する位置が変わった場合、テレビ画面の向きを変えたり、置き場所を変えたりする必要がある。そこで１台のテレビ（メインパネル）の後方に稍小さい画面のテレビ（サブパネル）を備える。サブパネルはメインパネルの上方にて観賞可能となる昇降機能を具備し、且つ最上位置にて回動可能とする。よって全方向よりサブパネルによるテレビ観賞が可能となる。【選択図】図１
2018113592.tif 000002
【特許請求の範囲】
【請求項１】
メインパネルとサブパネルとを有する２画面テレビジョンであって、
該２画面テレビジョンは、表側にメインパネルと裏側にサブパネルを相対に備える形態と、サブパネルを、メインパネルの後方に画面を同方向にて収納する形態とを備え、
サブパネルは本体に具備された受像機器部より配線を通じ操作され、
サブパネルはメインパネルと同方向において、全画面が観賞可能となる高さへの昇降機能を具備し、且つサブパネルの最上位置において最大３６０度の回動範囲を有することを特徴とする２画面テレビジョン。
【発明の詳細な説明】
【技術分野】
【０００１】
本発明は、テレビを観賞する際に２画面にて利用する形態に関する。
【背景技術】
【０００２】
テレビを観賞するにあたり、通常では１画面にて利用する。しかし２画面を同時に見たい場合も多く、以前は画面を２分割（サイドバイサイド２画面映像）として、２局の放送を同時に観賞したり、多分割としたマルチ画面の機能も流通していた。しかし需要は低く現在は流通していない。この需要が低い原因としては、画面が小さくなり臨場感は失われ、野球放送などボールの映像が小さすぎて適切に観賞できない状況である。また２画面を其々別の人が観賞する場合は近くに座る必要があり、また音声もヘッドホンを利用することとなる。
【０００３】
パソコンにおいては、対面する場合に各々が同一画面を見る必要がある場合も多く、特許文献１にはセールスプレゼンテーションに利用価値の高い、メイン表示画面とサブ表示画面とを表裏に備える２画面型ラップトップパソコンが開示されている。請求項には「表示画面が複数箇所、独立して設けられている画像表示位置」とあるように、図５においては最大４人（４画面）での利用が可能となっている。
【先行技術文献】
【特許文献】
【０００４】
【特許文献１】特開平１０−１４９１１３号公報
【発明の概要】
【発明が解決しようとする課題】
【０００５】
しかし考えてみれば、４人で囲んで其々テレビゲームをすることなど通常の家庭のリビングではありえないことで、あくまでこの形態はセールスプレゼンテーション用の表裏２画面型から派生した単なる思いつき（必要性がないもの）にすぎない。
【０００６】
本発明の必然性は、テレビ観賞時に１人で２局の映像を同時に見たい場合、例えばドラマの観賞中に他の画面に野球やサッカーを映し、無音声にて試合状況を把握することである。また２人で其々にテレビ観賞をしたい場合。特に１人がリビングのソファーにて観賞し、もう一人は反対側のキッチンにて作業したり、ダイニングテーブルにて寛（くつろ）ぎながら観賞する場合である。これらに対しては特許文献１の表裏型に似る形態となる。
【０００７】
また１人はテレビゲームとして利用し、もう１人がテレビ観賞とする場合は、例えば前記の２分割（サイドバイサイド２画面映像）のように、テレビを２台横に並べて設置したり、縦に積み上げて設置したとする。これは街中でも複数画面にて設置されている大型ディスプレイやマルチディスプレイはよく見かける。
【０００８】
しかしこの形態では、テレビ観賞をする者にとってテレビゲームの画像が非常に目まぐるしく変化し目障りとなってしまう。また座る位置においても限定されてしまい利用価値の低いものである。そこで様々な状況に対応できる２画面テレビの提供を課題とする。
【課題を解決するための手段】
【０００９】
本発明による２画面テレビは、画面を分割するのではなく、利用するテレビ画面の他にもう一つの画面を備える形態である。構成としては、回路等の受像機器部と、通常利用の画面となるメインパネルと、第２画面となるサブパネルとにより構成される。受像機器部とメインパネルとは従来のテレビ同様一体（本体）となり、サブパネルは本体に支持される。
【００１０】
本発明の２画面テレビの形態は数多く考えられ、また特に秀でるものもなく需用に対し其々に対応する構造となる。そこで課題の項に記載した一般的に利用価値が高いと考えられる構造において説明する。
【００１１】
まず本体のメインパネルと、サブパネルの大きさであるが、メインパネルよりサブパネルが稍小さいほうが適切と考えられる。これはサブパネルの利用時（設置時）に本体の支持部や収納構造がより簡素となりコスト的に有利といえる。また重量においても安定性が高まるものである。また画面の大きさが変わることで、観賞時において画面との距離により使い分けることは視神経に優しいものである。
【００１２】
本体はサブパネルの受像機器部も内蔵し、サブパネルは本体からの配線のみによって操作をするため、液晶パネルのみとなり、軽量といえる。サブパネルは、本体に備えられる枠体によって支持され、上下動（設置、収納）を可能とする。このサブパネルは３６０度の回動域を有し、通常メインパネルの反対側へ画面を向け、収納位置にて両方からの観賞を可能とする。しかしサブパネルの利用頻度が少ない場合は、画面を内側（メインパネルと同方向）にて収納することで防塵や損傷防止の効果が得られる。サブパネルは最上位置、つまり回動してもメインパネルと干渉しない高さにおいて、例えば中心部を支持するパイプを利用し回動可能とする。
【００１３】
また音声については、無線の形態は数多いものであり、需要を想定した機能を備える必要がある。例えば２画面ともヘッドホン利用により、リビングにおいて読書や児童の勉強にも支障をきたさない。またテレビゲームは音も大きくして楽しむことが多く、テレビゲーム利用者がヘッドホン利用となり、テレビ観賞者は複数であってもスピーカにて視聴することができ、移動型のテレビ専用小型スピーカも流通している。むろん複数人であっても各々がヘッドホンで視聴してもよく、乳児が眠っている場合は重宝であり、音量においてもヘッドホンにボリュームコントローラーを備えたものであれば各自に対応でき、聴力が劣る者には助かるものである。
【発明の効果】
【００１４】
テレビ観賞やテレビゲーム等多人数で共用するリビングルームにおいて、テレビ等を利用する者、また勉強や休憩として静かな環境を欲する者等様々な要望に対し、より良い状況を提供することができる。近年スマートフォンやタブレットも多様化し、テレビ画面とのリンクもやがて一般的となり、ＰＣ画面として無線で簡単に利用することも考えられる。よって２画面テレビの需用は現在はもとより次第に高まるものと考えられる。
【００１５】
これらによって得られるものは、単に便利ということではなく、家庭が同じ空間を共有することによって、より協調性を育むことであり、現代社会における課題への提唱といえる。
【図面の簡単な説明】
【００１６】
【図１】本発明による前方２画面利用時における正面図
【図２】前方及び後方との２画面利用時における平面図
【図３】前方２画面利用時におけるＡ−Ａ’断面見取図
【図４】前方及び後方との２画面利用時におけるＡ−Ａ’断面見取図
【図５】前方２画面利用時における手動型によるＡ−Ａ’断面見取図
【図６】前方及び後方との２画面利用時における手動型によるＡ−Ａ’断面見取図
【発明を実施するための形態】
【００１７】
構成はメインパネル（１）、サブパネル（２）、受像機器部（３）、底板（５）、昇降シリンダ（６）（７）からなる。サブパネル（２）はサブパネル支持部（８）により昇降シリンダＢ（７）に支持される。サブパネル（２）は本体（４）との配線を通じ操作される。配線は受像機器部（３）の背面中央部とサブパネル（２）の背面下方中央部とに繋がれ、サブパネル（２）が最上位置にて３６０度回動した場合でも支障を来たさない長さが必要となる。
つまりサブパネル（２）の高さ（縦の長さ）と回動に要する長さの合計となる。しかし回動については配線が若干捩じれる程度であり、特に長さを必要とするものではない。この配線に関わる構造は、他の方法もいくつかあり、問題を抱えるものでもなく、また重要事項でもないことから図中の記載は省略する。
【００１８】
受像機器部（３）は通常のテレビジョンが備える機能の他、サブパネル（２）の出力も必要である。またハードウエア等の配線も受像機器部（３）にすべてを備え、サブパネル（２）はディスプレイ（液晶パネル）のみとなり厚さや重量において薄形、軽量とすることができる。
【００１９】
サブパネル（２）の設置において詳しく説明する。図２、図４による前方及び後方２画面利用時は、画面を昇降することなく観賞が可能である。図１、図３によると前方に対し同一方向の画面となっているが、図２中の（２ｂ）は横方向へ９０度回動した状態であり、３６０度の回動域を有する。
【００２０】
サブパネル（２）が後方利用時となる図２及び図４中の（２）の場合、また画面を内側とした収納時（２ａ）において、フレーム（９）の切削部に嵌合し、安定を図ることも効果的である。これは周囲を掃除したり、（２ａ）の場合、上部に蓋を設けることで長期の収納には防塵効果を得られる。また幼児が強く接触した場合ディスプレイの保護となる。
【００２１】
サブパネル（２）を利用する際に例えば床に座り、低い位置からサブパネル（２）の高い位置が見ずらくなる場合がある。よってサブパネル（２）が前傾可能となる構造とすることが好ましい。就いては収納時に起き易い破損に対し留意が必要となる。
【００２２】
図２を参照すると、本体（４）と昇降シリンダ（６）とが少し離れていて本体（４）とサブパネル（２ａ）との間に必要のないスペースがとってある。これはサブパネル（２）が（２ｂ）の位置にある時、メインパネル（１）とサブパネル（２）との干渉を軽減する効果がある。またサブパネル（２）の最上位置を更に高くする方法も考えられる。
【００２３】
次にコストを重視し、手動式にてサブパネル（２）を設置する場合について説明する。昇降時における形態は幾つか考えられ、その一つとして昇降シリンダ（６）の代用として、パイプによる摺動の形態とする。丸パイプ若しくは角パイプが適切であり、高さは図５、図６による。図６においては反対側のパネル背面上部が正面側からも見えることとなるがメインパネル（１）の観賞に特に影響を及ぼすものではなく、コスト面を考慮した一つの方法でもある。
【００２４】
また図２に記載のフレーム（９）の形状を利用し、昇降機能とすることもできるが、最上位置にてターンテーブル（１０）同様、回動構造とすることが好ましい。昇降時の操作としては、例えばサブパネルの背面に把手を設け、ラチェット効果により把手を持ち上げることでサブパネルは上昇し、降下する場合はラチェット効果解除ボタンを押し降下させる。急速な降下はサブパネル等の損傷にも繋がることから、防止措置を施すこととなる。
【符号の説明】
【００２５】
１    メインパネル
２    サブパネル
３    受像機器部
４    本体
５    底板
６    昇降シリンダＡ
７    昇降シリンダＢ
８    サブパネル支持部
９    フレーム
１０  ターンテーブル
【図１】
2018113592.tif 000003
【図２】
2018113592.tif 000004
【図３】
2018113592.tif 000005
【図４】
2018113592.tif 000006
【図５】
2018113592.tif 000007
【図６】
2018113592.tif 000008